(57)【要約】【課題】  原稿載置部に先端を揃えて載置した原稿を画像情報の読み取り後に再び先端を揃えた状態で原稿排出部に排出でき、画像情報の読み取り後における原稿の取り扱いが容易である原稿読取装置および原稿読取方法を提供する。【解決手段】  制御部５０は、同サイズの原稿Ｓの画像情報を読み取る場合、原稿Ｓの片面又は両面の画像情報を原稿読取位置Ａで読み取った後、原稿排出トレイＴ１へ原稿Ｓを排出する。これによって原稿Ｓの後端が原稿排出トレイＴ１の壁面４１で揃えられ先端も揃えられる。また、制御部５０は、異なるサイズの原稿を含む原稿Ｓの画像情報を読み取る場合、原稿Ｓの片面又は両面の画像情報を原稿読取位置Ａで読み取った後、原稿Ｓをスイッチバックローラ１７でスイッチバック搬送して原稿排出トレイＴ２へ排出する。これによって原稿Ｓの先端が原稿排出トレイＴ２の壁面４２で揃えられる。【選択図】  図２
2006050059.tif 000002
【特許請求の範囲】
【請求項１】
原稿載置部に載置された複数枚の原稿の画像情報を連続して読み取る原稿読取装置において、
前記複数枚の原稿が互いに同じサイズである場合に画像情報を読み取られた後の前記原稿が排出される第１の原稿排出部と、
前記複数枚の原稿が異なるサイズの原稿を含む場合に画像情報を読み取られた後に前記第１の原稿排出部を経由して前記第１の原稿排出部から表裏を反転させることなくスイッチバック搬送された前記原稿が排出される第２の原稿排出部と、を備えることを特徴とする原稿読取装置。
【請求項２】
前記原稿載置部から原稿の画像情報を読み取る原稿読取位置を経由して前記第１の原稿排出部まで設けられた第１の原稿搬送路と、
前記第１の原稿搬送路における前記原稿の搬送方向の下流側端部の近傍から前記第１の原稿搬送路上であって前記原稿載置部と前記原稿読取位置との間に設けられた分岐部まで設けられた第２の原稿搬送路と、
前記第２の原稿搬送路における前記原稿の搬送方向の下流側端部に連続して設けられた第３の原稿搬送路と、を備え、
前記第１の原稿排出部は、前記第１の原稿搬送路の前記原稿の搬送方向の下流側に設けられ、
前記第２の原稿排出部は、前記第３の原稿搬送路の前記原稿の搬送方向の下流側に設けられ、さらに、
前記第１の原稿搬送路における前記原稿の搬送方向の下流側端部の近傍に配置され前記第１の原稿搬送路と前記第１の原稿排出部とを連通させる状態と前記第１の原稿排出部と前記第２の原稿搬送路とを連通させる状態とに選択的に切り換えられる第１の切換ゲートと、
前記分岐部に配置され前記第２の原稿搬送路と前記第３の原稿搬送路とを連通させる状態と前記第２の原稿搬送路と前記第１の原稿搬送路とを連通させる状態と前記原稿載置部と前記原稿読取位置とを連通させる状態とに選択的に切り換えられる第２の切換ゲートと、
前記原稿読取位置で前記原稿の画像情報を読み取る原稿読取部と、
前記第１の切換ゲートおよび前記第２の切換ゲートのそれぞれの切換動作を制御する制御部と、を備えることを特徴とする請求項１に記載の原稿読取装置。
【請求項３】
前記第１の原稿搬送路における前記原稿の搬送方向の下流側端部であって前記第１の切換ゲートより前記搬送方向の下流側に配置され正逆両方向に回転駆動自在なスイッチバックローラをさらに備えることを特徴とする請求項２に記載の原稿読取装置。
【請求項４】
前記制御部は、異なるサイズの複数枚の原稿の片面のみの画像情報を読み取る場合、
前記第１の切換ゲートを前記第１の原稿搬送路と前記第１の原稿排出部とを連通させる状態にして前記原稿を前記第１の原稿搬送路から前記原稿読取位置を経由して前記スイッチバックローラまで搬送して前記原稿の片面の画像情報を読み取り、
前記原稿の後端を前記スイッチバックローラで保持した状態で前記第１の切換ゲートを前記第１の原稿排出部と前記第２の原稿搬送路とを連通させる状態に切り換え、さらに前記第２の切換ゲートを前記第２の原稿搬送路と前記第３の原稿搬送路とを連通させる状態にして、前記原稿をスイッチバック搬送して前記第２の原稿搬送路および前記第３の原稿搬送路を経由して前記第２の原稿排出部へ排出することを特徴とする請求項３に記載の原稿読取装置。
【請求項５】
前記制御部は、異なるサイズの複数枚の原稿の第１面および第２面の両面の画像情報を読み取る場合、
前記第１の切換ゲートを前記第１の原稿搬送路と前記第１の原稿排出部とを連通させる状態にして前記原稿を前記第１の原稿搬送路から前記原稿読取位置を経由して前記スイッチバックローラまで搬送して前記原稿の第１面の画像情報を読み取り、
前記原稿の後端を前記スイッチバックローラで保持した状態で前記第１の切換ゲートを前記第１の原稿排出部と前記第２の原稿搬送路とを連通させる状態に切り換え、さらに前記第２の切換ゲートを前記第２の原稿搬送路と前記第１の原稿搬送路とを連通させる状態にして、前記原稿をスイッチバック搬送して前記第２の原稿搬送路および前記第１の原稿搬送路に搬送して前記原稿読取位置で前記原稿の第２面の画像情報を読み取り、前記第１の切換ゲートを前記第１の原稿搬送路と前記第１の原稿排出部とを連通させる状態に切り換えて前記原稿をさらに前記スイッチバックローラまで搬送し、
前記原稿の後端を前記スイッチバックローラで保持した状態で前記第１の切換ゲートを前記第１の原稿排出部と前記第２の原稿搬送路とを連通させる状態に切り換え、さらに前記第２の切換ゲートを前記第２の原稿搬送路と前記第１の原稿搬送路とを連通させる状態にして、前記原稿をスイッチバック搬送して前記第２の原稿搬送路および前記第１の原稿搬送路を経由して再び前記原稿の後端を前記スイッチバックローラで保持し、
前記第２の切換ゲートを前記第２の原稿搬送路と前記第３の原稿搬送路とを連通させる状態にして前記原稿をスイッチバック搬送して前記第２の原稿搬送路および前記第３の原稿搬送路を経由して前記第２の原稿排出部へ排出することを特徴とする請求項３に記載の原稿読取装置。
【請求項６】
前記制御部は、同サイズの複数枚の原稿の片面のみの画像情報を読み取る場合、
前記第１の切換ゲートを前記第１の原稿搬送路と前記第１の原稿排出部とを連通させる状態にして前記原稿を前記原稿読取位置を経由する前記第１の原稿搬送路に搬送して前記原稿の片面の画像情報を読み取り、前記原稿を前記第１の原稿排出部へ排出することを特徴とする請求項２または３に記載の原稿読取装置。
【請求項７】
前記制御部は、同サイズの複数枚の原稿の第１面および第２面の両面の画像情報を読み取る場合、
前記第１の切換ゲートを前記第１の原稿搬送路と前記第１の原稿排出部とを連通させる状態にして前記原稿を前記第１の原稿搬送路から前記原稿読取位置を経由して前記スイッチバックローラまで搬送して前記原稿の第１面の画像情報を読み取り、
前記原稿の後端を前記スイッチバックローラで保持した状態で前記第１の切換ゲートを前記第１の原稿排出部と前記第２の原稿搬送路とを連通させる状態に切り換え、さらに前記第２の切換ゲートを前記第２の原稿搬送路と前記第１の原稿搬送路とを連通させる状態にして、前記原稿をスイッチバック搬送して前記第２の原稿搬送路および前記第１の原稿搬送路に搬送して前記原稿読取位置で前記原稿の第２面の画像情報を読み取り、前記第１の切換ゲートを前記第１の原稿搬送路と前記第１の原稿排出部とを連通させる状態に切り換えて前記原稿をさらに前記スイッチバックローラまで搬送し、
前記原稿の後端を前記スイッチバックローラで保持した状態で前記第１の切換ゲートを前記第１の原稿排出部と前記第２の原稿搬送路とを連通させる状態に切り換え、さらに前記第２の切換ゲートを前記第２の原稿搬送路と前記第１の原稿搬送路とを連通させる状態にして、前記原稿をスイッチバック搬送して前記第２の原稿搬送路および前記第１の原稿搬送路を経由して前記第１の原稿排出部へ排出することを特徴とする請求項３に記載の原稿読取装置。
【請求項８】
前記第２の原稿排出部は、前記第２の原稿排出部への前記原稿の排出方向の上流側ほど下方へ傾斜するように配置されることを特徴とする請求項４または５に記載の原稿読取装置。
【請求項９】
原稿載置部に載置された複数枚の原稿の画像情報を原稿読取位置で読み取る原稿読取方法において、
前記原稿を前記原稿読取位置に搬送して前記原稿の片面の画像情報を読み取った後、前記原稿をスイッチバック搬送して表裏を反転させることなく前記原稿が排出される方向の上流側ほど下方へ傾斜した原稿排出部へ排出することを特徴とする原稿読取方法。
【請求項１０】
原稿載置部に載置された複数枚の原稿の画像情報を原稿読取位置で読み取る原稿読取方法において、
前記原稿を前記原稿読取位置に搬送して前記原稿の第１面の画像情報を読み取った後、前記原稿をスイッチバック搬送して再び前記原稿読取位置に搬送し前記原稿の第２面の画像情報を読み取り、前記原稿を再びスイッチバック搬送して前記原稿読取位置を経由させた後、さらに前記原稿をスイッチバック搬送して表裏を反転させることなく前記原稿が排出される方向の上流側ほど下方へ傾斜した原稿排出部へ排出することを特徴とする原稿読取方法。
【発明の詳細な説明】
【技術分野】
【０００１】
この発明は、原稿読取位置上を所定速度で移動する原稿の画像情報を読み取る原稿移動方式の原稿読取装置および原稿読取方法に関する。
【背景技術】
【０００２】
従来から、原稿台上を所定速度で移動する原稿の画像情報を読み取る原稿移動方式の原稿読取装置がある（例えば、特許文献１参照。）。図１８に示すように、原稿移動方式の従来の原稿読取装置１００は、原稿載置トレイ１０１、原稿主搬送路Ｒ１１、原稿副搬送路Ｒ１２、原稿台１０２，１０３、スイッチバックローラ１０４、原稿排出トレイ１０６及び原稿読取部１０８等を備え、原稿の片面の画像情報のみを読み取る片面読取モードと、原稿の両面の画像情報を読み取る両面読取モードと、を有する。原稿載置トレイ１０１には、ピックアップローラ１０９による給紙ミスを防ぐために、原稿は、揃った側を先端にして載置される。また、原稿排出トレイ１０６は、図示していないが、排出された原稿の落下を防ぐために、スイッチバックローラ１０４側に向けて下方に傾斜している。
【０００３】
片面読取モードでは、まず原稿載置トレイ１０１に載置された原稿は、原稿主搬送路Ｒ１１を経由して原稿台１０２上の原稿読取位置Ａ１１に搬送される。原稿は、原稿読取位置Ａ１１において原稿台１０２の下方に配置された縮小光学系の原稿読取部１０８によって片面（第１面）の画像情報を読み取られる。次に、原稿はスイッチバックローラ１０４を経由して原稿排出トレイ１０６に排出される。このとき、原稿排出トレイ１０６に排出された原稿は、第１面を下方に向け、原稿載置トレイ１０１に載置された状態での原稿搬送方向の後端がスイッチバックローラ１０４に近い側に配置された状態で原稿排出トレイ１０６に載置される。
【０００４】
また、両面モードでは、まず原稿載置トレイ１０１に載置された原稿は、原稿主搬送路Ｒ１１を経由して原稿読取位置Ａ１１に搬送され、原稿読取位置Ａ１１において原稿読取部１０８によって一方の主面である第１面の画像情報を読み取られる。
【０００５】
次に、切換ゲート１０７が図１８に破線で示す位置に設定され、原稿は、スイッチバックローラ１０４を経由して反転トレイ１０５に排出される方向に搬送され、原稿搬送方向の後端部をスイッチバックローラ１０４にチャックされ先端部側を反転トレイ１７０に載置された状態で保持される。そして、スイッチバックローラ１０４が先程とは逆方向に回転駆動して、原稿は、原稿副搬送路Ｒ１２及び原稿主搬送路Ｒ１１をこの順に経由して再び原稿読取位置Ａ１１に搬送される。このとき、原稿は、スイッチバック搬送されることで表裏を反転された状態で原稿読取位置Ａ１１に搬送されるので、画像読取部１０８によって他方の主面である第２面の画像情報が読み取られる。
【０００６】
次に、原稿は、再びスイッチバックローラ１０４でチャックされ、上述したように原稿副搬送路Ｒ１２、原稿主搬送路Ｒ１１及び原稿読取位置Ａ１１をこの順に搬送された後、スイッチバックローラ１０４によって原稿排出トレイ１０６に排出される。このとき、原稿排出トレイ１０６に排出された原稿は、第１面を下方に向け、原稿載置トレイ１０１に載置された状態での原稿搬送方向の後端がスイッチバックローラ１０４に近い側に配置された状態で原稿排出トレイ１０６に載置される。
【特許文献１】特開２００１−４２５７７公報
【発明の開示】
【発明が解決しようとする課題】
【０００７】
上述したように、原稿排出トレイ１０６は、排出された原稿の落下を防ぐためにスイッチバックローラ１０４側に向けて下方に傾斜しているので、従来の原稿読取装置１００では、片面読取モード及び両面読取モードの両モードにおいて、原稿載置トレイ１０１に載置された状態での原稿搬送方向の後端がスイッチバックローラ１０４に近い側に配置され、原稿の後端がスイッチバックローラ１０４側で揃えられた状態となる。
【０００８】
したがって、原稿載置トレイ１０１に載置された異なるサイズの原稿を含む複数枚の原稿を連続して読み取る場合、原稿載置トレイ１０１上では先端が揃えられていた複数枚の原稿が、原稿排出トレイ１０６上では逆に後端が揃えられた状態で載置されることになる。このため、各原稿の一端側に例えばパンチ孔が開けられており、パンチ孔を開けられた側を先端として原稿載置トレイ１０１上に複数枚の原稿が載置された場合、画像情報を読み取られた後に原稿排出トレイ１０６上に排出された原稿は、パンチ孔が全く揃っていない状態で載置されることになり、画像情報の読み取り後における原稿の取り扱いが煩雑になるという問題があった。
【０００９】
この発明の目的は、原稿載置部に先端を揃えて載置した原稿を画像情報の読み取り後に再び先端を揃えた状態で原稿排出部に排出でき、画像情報の読み取り後における原稿の取り扱いが容易である原稿読取装置および原稿読取方法を提供することにある。
【課題を解決するための手段】
【００１０】
この発明の原稿読取装置は、上述の課題を解決するために以下のように構成される。
【００１１】
（１）原稿載置部に載置された複数枚の原稿の画像情報を連続して読み取る原稿読取装置において、前記複数枚の原稿が互いに同じサイズである場合に画像情報を読み取られた後の前記原稿が排出される第１の原稿排出部と、前記複数枚の原稿が異なるサイズの原稿を含む場合に画像情報を読み取られた後に前記第１の原稿排出部を経由して前記第１の原稿排出部から表裏を反転させることなくスイッチバック搬送された前記原稿が排出される第２の原稿排出部と、を備えることを特徴とする。
【００１２】
この構成においては、第１の原稿排出部と第２の原稿排出部との２個の原稿排出部が備えられる。原稿載置部に載置された全ての原稿のサイズが同じである場合は、原稿は画像情報の読み取り後に第１の原稿排出部に排出される。原稿載置部に載置された複数枚の原稿中に異なるサイズの原稿が含まれている場合は、原稿は画像情報の読み取り後に第１の原稿排出部を経由して、第１の原稿排出部から表裏を反転させることなくスイッチバック搬送されて第２の原稿排出部に排出される。原稿は、第１の原稿排出部から表裏を反転させることなくスイッチバック搬送されることで、第１の原稿排出部に排出された場合と比較して、ページ順を変えることなく排出される前後方向のみを変更して第２の原稿排出部に排出される。例えば、原稿は、第１の原稿排出部には原稿載置部に載置された状態における原稿の搬送方向の後端を後ろ側にして排出される場合、第２の原稿排出部には原稿載置部に載置された状態における原稿の搬送方向の先端を後ろ側にして排出される。
【００１３】
（２）前記原稿載置部から原稿の画像情報を読み取る原稿読取位置を経由して前記第１の原稿排出部まで設けられた第１の原稿搬送路と、前記第１の原稿搬送路における前記原稿の搬送方向の下流側端部の近傍から前記第１の原稿搬送路上であって前記原稿載置部と前記原稿読取位置との間に設けられた分岐部まで設けられた第２の原稿搬送路と、前記第２の原稿搬送路における前記原稿の搬送方向の下流側端部に連続して設けられた第３の原稿搬送路と、を備え、前記第１の原稿排出部は、前記第１の原稿搬送路の前記原稿の搬送方向の下流側に設けられ、前記第２の原稿排出部は、前記第３の原稿搬送路の前記原稿の搬送方向の下流側に設けられ、さらに、前記第１の原稿搬送路における前記原稿の搬送方向の下流側端部の近傍に配置され前記第１の原稿搬送路と前記第１の原稿排出部とを連通させる状態と前記第１の原稿排出部と前記第２の原稿搬送路とを連通させる状態とに選択的に切り換えられる第１の切換ゲートと、前記分岐部に配置され前記第２の原稿搬送路と前記第３の原稿搬送路とを連通させる状態と前記第２の原稿搬送路と前記第１の原稿搬送路とを連通させる状態と前記原稿載置部と前記原稿読取位置とを連通させる状態とに選択的に切り換えられる第２の切換ゲートと、前記原稿読取位置で前記原稿の画像情報を読み取る原稿読取部と、前記第１の切換ゲートおよび前記第２の切換ゲートのそれぞれの切換動作を制御する制御部と、を備えることを特徴とする。
【００１４】
この構成においては、第１の原稿搬送路中であって分岐部と第１の原稿排出部との間に原稿読取位置が設定され、分岐部から第１の原稿排出部までの第１の原稿搬送路と第２の原稿搬送路とで原稿読取位置を含むループ状の原稿の搬送路が形成される。そして、第１の原稿搬送路の下流側に第１の原稿排出部が設けられ、第２の原稿搬送路の下流側に第３の原稿搬送路が設けられ、第３の原稿搬送路の下流側に第２の原稿排出部が設けられる。第１の原稿搬送路の下流側端部の近傍であって第２の原稿搬送路との合流位置に、第１の切換ゲートが設けられ、分岐部に第２の切換ゲートが設けられる。第１の切換ゲート及び第２の切換ゲートのそれぞれの状態を変更する切換動作は、制御部によって制御される。
【００１５】
（３）前記第１の原稿搬送路における前記原稿の搬送方向の下流側端部であって前記第１の切換ゲートより前記搬送方向の下流側に配置され正逆両方向に回転駆動自在なスイッチバックローラをさらに備えることを特徴とする。
【００１６】
この構成においては、第１の原稿搬送路を搬送された原稿はスイッチバックローラで保持され、第１の切換ゲートが第１の原稿排出部と第２の原稿搬送路とを連通させる状態にされると、原稿は第２の原稿搬送路へ前後逆向きに搬送される。
【００１７】
（４）前記制御部は、異なるサイズの複数枚の原稿の片面のみの画像情報を読み取る場合、前記第１の切換ゲートを前記第１の原稿搬送路と前記第１の原稿排出部とを連通させる状態にして前記原稿を前記第１の原稿搬送路から前記原稿読取位置を経由して前記スイッチバックローラまで搬送して前記原稿の片面の画像情報を読み取り、前記原稿の後端を前記スイッチバックローラで保持した状態で前記第１の切換ゲートを前記第１の原稿排出部と前記第２の原稿搬送路とを連通させる状態に切り換え、さらに前記第２の切換ゲートを前記第２の原稿搬送路と前記第３の原稿搬送路とを連通させる状態にして、前記原稿をスイッチバック搬送して前記第２の原稿搬送路および前記第３の原稿搬送路を経由して前記第２の原稿排出部へ排出することを特徴とする。
【００１８】
この構成においては、原稿載置部に異なるサイズの原稿を含む複数枚の原稿が載置され、それぞれの原稿の片面のみの画像情報が読み取られる。片面の画像情報を読み取られた原稿は、スイッチバックローラに後端を保持され、スイッチバックローラによってスイッチバック搬送されて第２の原稿排出部へ排出される。原稿は、スイッチバック搬送されることで、原稿載置部に載置された状態での先端を後ろ側にして第２の原稿排出部へ排出される。
【００１９】
（５）前記制御部は、異なるサイズの複数枚の原稿の第１面および第２面の両面の画像情報を読み取る場合、前記第１の切換ゲートを前記第１の原稿搬送路と前記第１の原稿排出部とを連通させる状態にして前記原稿を前記第１の原稿搬送路から前記原稿読取位置を経由して前記スイッチバックローラまで搬送して前記原稿の第１面の画像情報を読み取り、前記原稿の後端を前記スイッチバックローラで保持した状態で前記第１の切換ゲートを前記第１の原稿排出部と前記第２の原稿搬送路とを連通させる状態に切り換え、さらに前記第２の切換ゲートを前記第２の原稿搬送路と前記第１の原稿搬送路とを連通させる状態にして、前記原稿をスイッチバック搬送して前記第２の原稿搬送路および前記第１の原稿搬送路に搬送して前記原稿読取位置で前記原稿の第２面の画像情報を読み取り、前記第１の切換ゲートを前記第１の原稿搬送路と前記第１の原稿排出部とを連通させる状態に切り換えて前記原稿をさらに前記スイッチバックローラまで搬送し、前記原稿の後端を前記スイッチバックローラで保持した状態で前記第１の切換ゲートを前記第１の原稿排出部と前記第２の原稿搬送路とを連通させる状態に切り換え、さらに前記第２の切換ゲートを前記第２の原稿搬送路と前記第１の原稿搬送路とを連通させる状態にして、前記原稿をスイッチバック搬送して前記第２の原稿搬送路および前記第１の原稿搬送路を経由して再び前記原稿の後端を前記スイッチバックローラで保持し、前記第２の切換ゲートを前記第２の原稿搬送路と前記第３の原稿搬送路とを連通させる状態にして前記原稿をスイッチバック搬送して前記第２の原稿搬送路および前記第３の原稿搬送路を経由して前記第２の原稿排出部へ排出することを特徴とする。
【００２０】
この構成においては、原稿載置部に異なるサイズの原稿を含む複数枚の原稿が載置される。第１面の画像情報を読み取られた原稿は、スイッチバックローラに後端を保持され、スイッチバックローラによってスイッチバック搬送されて第２の原稿搬送路及び第１の原稿搬送路へ送られ、第２面の画像情報を読み取られる。このとき、原稿は、スイッチバック搬送されたことで原稿載置部での先端を後ろ側にして搬送される。第２面の画像情報を読み取られた原稿は、再びスイッチバックローラに保持される。このとき、原稿は、スイッチバックローラに、直前の搬送方向の後端すなわち原稿載置部での先端を保持される。そして、原稿は、第２の原稿排出部へ排出された際のページ順を原稿載置部に載置された際のページ順と同一にするためにスイッチバックローラによって再びスイッチバック搬送されて第２の原稿搬送路及び第１の原稿搬送路を経由して再びスイッチバックローラに保持される。このとき、原稿は、直前の搬送方向の後端すなわち原稿載置部での後端をスイッチバックローラに保持される。原稿は、スイッチバックローラによって再びスイッチバック搬送されて、第２の原稿搬送路および第３の原稿搬送路を表裏を反転されることなく搬送されて第２の原稿排出部へ排出される。このとき、原稿は、スイッチバック搬送されたことで、原稿載置部に載置された状態での先端を後ろ側にして第２の原稿排出部へ排出される。
【００２１】
（６）前記制御部は、同サイズの複数枚の原稿の片面のみの画像情報を読み取る場合、前記第１の切換ゲートを前記第１の原稿搬送路と前記第１の原稿排出部とを連通させる状態にして前記原稿を前記原稿読取位置を経由する前記第１の原稿搬送路に搬送して前記原稿の片面の画像情報を読み取り、前記原稿を前記第１の原稿排出部へ排出することを特徴とする。
【００２２】
この構成においては、原稿載置部に同サイズの複数枚の原稿が載置される。原稿は、第１の原稿搬送路を搬送され原稿読取位置で片面の画像情報を読み取られ、第１の原稿搬送路の下流側端部に設けられた第１の原稿排出部へ、原稿載置部における先端を前側にして後端を後ろ側にして排出される。
【００２３】
（７）前記制御部は、同サイズの複数枚の原稿の第１面および第２面の両面の画像情報を読み取る場合、前記第１の切換ゲートを前記第１の原稿搬送路と前記第１の原稿排出部とを連通させる状態にして前記原稿を前記第１の原稿搬送路から前記原稿読取位置を経由して前記スイッチバックローラまで搬送して前記原稿の第１面の画像情報を読み取り、前記原稿の後端を前記スイッチバックローラで保持した状態で前記第１の切換ゲートを前記第１の原稿排出部と前記第２の原稿搬送路とを連通させる状態に切り換え、さらに前記第２の切換ゲートを前記第２の原稿搬送路と前記第１の原稿搬送路とを連通させる状態にして、前記原稿をスイッチバック搬送して前記第２の原稿搬送路および前記第１の原稿搬送路に搬送して前記原稿読取位置で前記原稿の第２面の画像情報を読み取り、前記第１の切換ゲートを前記第１の原稿搬送路と前記第１の原稿排出部とを連通させる状態に切り換えて前記原稿をさらに前記スイッチバックローラまで搬送し、前記原稿の後端を前記スイッチバックローラで保持した状態で前記第１の切換ゲートを前記第１の原稿排出部と前記第２の原稿搬送路とを連通させる状態に切り換え、さらに前記第２の切換ゲートを前記第２の原稿搬送路と前記第１の原稿搬送路とを連通させる状態にして、前記原稿をスイッチバック搬送して前記第２の原稿搬送路および前記第１の原稿搬送路を経由して前記第１の原稿排出部へ排出することを特徴とする。
【００２４】
この構成においては、原稿載置部に同サイズの複数枚の原稿が載置される。第１面の画像情報を読み取られた原稿は、スイッチバックローラに後端を保持され、スイッチバックローラによってスイッチバック搬送されて第２の原稿搬送路及び第１の原稿搬送路へ送られ、第２面の画像情報を読み取られる。このとき、原稿は、スイッチバック搬送されたことで原稿載置部での先端を後ろ側にして搬送される。第２面の画像情報を読み取られた原稿は、再びスイッチバックローラに保持される。このとき、原稿は、スイッチバックローラに、直前の搬送方向の後端すなわち原稿載置部での先端を保持される。そして、原稿は、第２の原稿排出部へ排出された際のページ順を原稿載置部に載置された際のページ順と同一にするために、スイッチバックローラによって再びスイッチバック搬送されて第２の原稿搬送路及び第１の原稿搬送路を経由して第１の原稿排出部へ排出される。このとき、原稿は、スイッチバック搬送されたことで原稿載置部での後端を後ろ側にして第１の原稿排出部へ排出される。
【００２５】
（８）前記第２の原稿排出部は、前記第２の原稿排出部への前記原稿の排出方向の上流側ほど下方へ傾斜するように配置されることを特徴とする。
【００２６】
この構成においては、第２の原稿排出部へ排出された異なるサイズの原稿を含む原稿は、第２の原稿排出部への原稿の排出方向の上流側へ寄せられる。
【００２７】
この発明の原稿読取方法は、上述の課題を解決するために以下のように構成される。
【００２８】
（９）原稿載置部に載置された複数枚の原稿の画像情報を原稿読取位置で読み取る原稿読取方法において、前記原稿を前記原稿読取位置に搬送して前記原稿の片面の画像情報を読み取った後、前記原稿をスイッチバック搬送して表裏を反転させることなく前記原稿が排出される方向の上流側ほど下方へ傾斜した原稿排出部へ排出することを特徴とする。
【００２９】
この構成においては、片面の画像情報を読み取られた後の原稿がスイッチバック搬送されることで、原稿は、原稿載置部に載置された状態における先端を後ろ側にして原稿排出部へ排出される。原稿排出部は原稿が排出される方向の上流側ほど下方へ傾斜しているので、原稿排出部へ排出された原稿は、原稿が排出された方向の上流側へ寄せられる。
【００３０】
（１０）原稿載置部に載置された複数枚の原稿の画像情報を原稿読取位置で読み取る原稿読取方法において、前記原稿を前記原稿読取位置に搬送して前記原稿の第１面の画像情報を読み取った後、前記原稿をスイッチバック搬送して再び前記原稿読取位置に搬送し前記原稿の第２面の画像情報を読み取り、前記原稿を再びスイッチバック搬送して前記原稿読取位置を経由させた後、さらに前記原稿をスイッチバック搬送して表裏を反転させることなく前記スイッチバック搬送の搬送方向の上流側ほど下方に傾斜した原稿排出部へ排出することを特徴とする。
【００３１】
この構成においては、第１面の画像情報を読み取られた原稿は、スイッチバック搬送されて原稿読取位置へ搬送され第２面の画像情報を読み取られる。このとき、原稿は、スイッチバック搬送されたことで原稿載置部での先端を後ろ側にして搬送される。第２面の画像情報を読み取られた原稿は、原稿排出部へ排出された際のページ順を原稿載置部に載置された際のページ順と同一にするために再びスイッチバック搬送される。このとき、原稿は、再びスイッチバック搬送されたことで原稿載置部での後端を後ろ側にして搬送される。そして、原稿は、原稿読取位置を経由した後、さらに再びスイッチバック搬送されて、表裏を反転されることなく搬送されて原稿排出部へ排出される。このとき、原稿は、さらに再びスイッチバック搬送されたことで、原稿載置部に載置された状態での先端を後ろ側にして原稿排出部へ排出される。原稿排出部は原稿が排出される方向の上流側ほど下方へ傾斜しているので、原稿排出部へ排出された原稿は、原稿が排出された方向の上流側へ寄せられる。
【発明の効果】
【００３２】
この発明によれば、以下の効果を奏することができる。
【００３３】
（１）原稿を第１の原稿排出部から表裏を反転させることなくスイッチバック搬送することで、第１の原稿排出部に排出した場合と比較して、ページ順を変えることなく排出される前後方向のみを変更して第２の原稿排出部に排出することができる。したがって、第１の原稿排出部に原稿載置部に載置された状態における原稿の搬送方向の後端を後ろ側にして原稿を排出する場合、第２の原稿排出部には原稿載置部に載置された状態における原稿の搬送方向の先端を後ろ側にして排出することができ、第２の原稿排出部の装置本体側の壁面で原稿の先端を揃えることができる。
【００３４】
（２）原稿読取位置を含むループ状の原稿の搬送路を複数回経由させることで原稿の両面の画像情報を読み取ることができる。また、第１の切換ゲート及び第２の切換ゲートのそれぞれの状態をそれぞれ所定のタイミングで切り換えることで、原稿を所望の搬送路を経由させて第１の原稿排出部又は第２の原稿排出部へ排出することができる。
【００３５】
（３）第１の原稿搬送路を搬送された原稿をスイッチバックローラで保持して第２の原稿搬送路へ前後逆向きに搬送することができる。
【００３６】
（４）異なるサイズの原稿を含む複数枚の原稿の片面の画像情報を読み取る場合に、原稿を原稿載置部に載置された状態での先端を後ろ側にして第２の原稿排出部へ排出することができるので、第２の原稿排出部の装置本体側の壁面で原稿の先端を揃えることができる。
【００３７】
（５）異なるサイズの原稿を含む複数枚の原稿の両面の画像情報を読み取る場合に、原稿を原稿載置部に載置された状態での先端を後ろ側にして第２の原稿排出部へ排出することができるので、第２の原稿排出部の装置本体側の壁面で原稿の先端を揃えることができる。
【００３８】
（６）同サイズの複数枚の原稿の片面の画像情報を読み取る場合に、原稿が全て同サイズであり、原稿載置部における原稿の先端と後端との前後の方向と、第１の原稿排出部へ排出されたときの原稿の前後の方向と、の関係に関わりなく原稿の一方の端部を揃えることで原稿の先端及び後端の両方を揃えることができるので、原稿が異なるサイズの原稿を含む場合のように原稿の前後の方向を調整するために画像情報を読み取った後にさらにスイッチバック搬送するというような工程を必要とせず、原稿が異なるサイズの原稿を含む場合と比較して、原稿の画像情報を読み取る処理時間を短縮することができる。
【００３９】
（７）同サイズの複数枚の原稿の両面の画像情報を読み取る場合に、原稿が全て同サイズであり、原稿載置部における原稿の先端と後端との前後の方向と、第１の原稿排出部へ排出されたときの原稿の前後の方向と、の関係に関わりなく原稿の一方の端部を揃えることで原稿の先端及び後端の両方を揃えることができるので、原稿が異なるサイズの原稿を含む場合のように原稿の前後の方向を調整するために両面の画像情報を読み取った後にさらにスイッチバック搬送するというような工程を必要とせず、原稿が異なるサイズの原稿を含む場合と比較して、原稿の両面の画像情報を読み取る処理時間を短縮することができる。
【００４０】
（８）第２の原稿排出部へ排出された異なるサイズの原稿を含む原稿が第２の原稿排出部への原稿の排出方向の上流側へ寄せられるので、原稿載置部に載置された状態での先端を後ろ側にして第２の原稿排出部へ排出された原稿の後ろ側すなわち原稿載置部に載置された状態での先端を揃えることができる。したがって、揃った方の端部を先端として原稿載置部に載置された原稿が、画像情報の読み取り後に再び先端が揃った状態で第２の原稿排出部へ排出されるので、従来のように原稿の先端を揃え直す必要がなく、画像情報の読み取り後の原稿の取り扱いが容易になる。
【００４１】
（９）片面の画像情報を読み取られ原稿排出部へ排出された原稿は排出された方向の上流側へ寄せられるので、原稿載置部に載置された状態での先端を後ろ側にして原稿排出部へ排出された原稿の後ろ側すなわち原稿載置部に載置された状態での先端を揃えることができる。したがって、揃った方の端部を先端として原稿載置部に載置された原稿が、画像情報の読み取り後に再び先端が揃った状態で原稿排出部へ排出されるので、従来のように原稿の先端を揃え直す必要がなく、画像情報の読み取り後の原稿の取り扱いが容易になる。
【００４２】
（１０）両面の画像情報を読み取られ原稿排出部へ排出された原稿は排出された方向の上流側へ寄せられるので、原稿載置部に載置された状態での先端を後ろ側にして原稿排出部へ排出された原稿の後ろ側すなわち原稿載置部に載置された状態での先端を揃えることができる。したがって、揃った方の端部を先端として原稿載置部に載置された原稿が、画像情報の読み取り後に再び先端が揃った状態で原稿排出部へ排出されるので、従来のように原稿の先端を揃え直す必要がなく、画像情報の読み取り後の原稿の取り扱いが容易になる。
【発明を実施するための最良の形態】
【００４３】
以下に、この発明の実施形態について図面に基づいて説明する。図１は、この発明の実施形態に係る原稿読取装置の概略の構成を示す断面図であり、図２は、前記原稿読取装置の構成を模式的に示す説明図である。この実施形態に係る原稿読取装置１０は、ディジタル複写機に搭載され、ディジタル複写機は、原稿読取装置１０によって読み取られた原稿Ｓの画像情報に基づいて、または、接続されたネットワークを介して入力された画像情報に基づいて、用紙等の記録媒体に画像を形成する。また、原稿読取装置１０は、同じサイズの原稿Ｓの片面のみの画像情報を連続して読み取る同サイズ原稿片面読取モード、同じサイズの原稿Ｓの両面の画像情報を連続して読み取る同サイズ原稿両面読取モード、異なるサイズの原稿を含む原稿Ｓの片面のみの画像情報を連続して読み取る異サイズ原稿片面読取モード、および、異なるサイズの原稿を含む原稿Ｓの両面の画像情報を連続して読み取る異サイズ原稿両面読取モードを有する。ユーザは、上述のいずれかの処理モードを選択して図示しない操作部から入力し、原稿読取装置１０は、ユーザによる入力設定に基づいて、上述のいずれかの処理モードを選択的に実行する。
【００４４】
原稿読取装置１０は、原稿台１２、主として原稿台１２の上方に配置される原稿搬送部３０、原稿台１２の下方に配置される原稿読取部２０、および制御部５０（図３参照）等を備える。原稿搬送部３０は、原稿載置部である原稿載置トレイ１１に載置された原稿Ｓを順次、原稿台１２上に搬送し、原稿台１２上の原稿読取位置Ａで画像情報を読み取られた後の原稿を、第１の原稿排出部である原稿排出トレイＴ１または第２の原稿排出部である原稿排出トレイＴ２へ排出する。原稿搬送部３０の詳細な構成については後述する。
【００４５】
原稿読取部２０は、光源２１、第１反射ミラー２２、第２反射ミラー２３、第３反射ミラー２４、結像レンズ２５およびＣＣＤセンサ２６を含む。光源２１は、原稿台１２上の原稿読取位置Ａに向けて光を放ち、原稿台１２上を搬送されている原稿Ｓに光を照射する。第１反射ミラー２２は、光源２１から照射され原稿Ｓで反射された光を第２反射ミラー２３の方向へ反射する。第１反射ミラー２２で反射された光は、さらに第２反射ミラー２３および第３反射ミラー２４で反射され、結像レンズ２５に入射する。結像レンズ２５は、入射した光をＣＣＤセンサ２６上に結像する。ＣＣＤセンサ２６は、受光した光を光電変換して画像情報として読み取る。
【００４６】
原稿搬送部３０は、原稿載置トレイ１１、原稿排出トレイＴ１，Ｔ２、原稿主搬送路Ｒ１、原稿副搬送路Ｒ２、エスケープ搬送路Ｒ３、ピックアップローラ１３、第１搬送ローラ１４、レジストローラ１５、第２搬送ローラ１６、スイッチバックローラ１７、第３搬送ローラ１８、排出ローラ１９、切換ゲートＧ１〜Ｇ３、およびセンサＳＡ，ＳＢ，ＳＣ等を含む。原稿主搬送路Ｒ１はこの発明の第１の原稿搬送路に相当し、原稿副搬送路Ｒ２はこの発明の第２の原稿搬送路に相当し、エスケープ搬送路Ｒ３はこの発明の第３の原稿搬送路に相当し、切換ゲートＧ３はこの発明の第１の切換ゲートに相当し、切換ゲートＧ１，Ｇ２はこの発明の第２の切換ゲートを構成する。
【００４７】
原稿載置トレイ１１には複数枚の原稿Ｓが載置される。原稿主搬送路Ｒ１は、原稿載置トレイ１１から原稿台１２上の原稿読取位置Ａを経由して排出トレイＴ１まで設けられる。原稿主搬送路Ｒ１上であって原稿載置トレイ１１と原稿読取位置Ａとの間に、分岐部３１が設けられる。原稿副搬送路Ｒ２は、原稿主搬送路Ｒ１における原稿Ｓの搬送方向の下流側端部の近傍から分岐部３１まで設けられ、分岐部３１以降の原稿主搬送路Ｒ１と原稿副搬送路Ｒ２とによってループ状の搬送路が形成される。エスケープ搬送路Ｒ３は、原稿副搬送路Ｒ２における原稿Ｓの搬送方向の下流側端部に原稿副搬送路Ｒ２に連続して設けられる。
【００４８】
原稿排出トレイＴ１は、原稿主搬送路Ｒ１の原稿Ｓの搬送方向の下流側に配置され、原稿排出トレイＴ２は、エスケープ搬送路Ｒ３の原稿Ｓの搬送方向の下流側に配置される。原稿排出トレイＴ１，Ｔ２はそれぞれ、原稿Ｓが排出される方向の上流側ほど下方へ傾斜し、原稿Ｓの排出方向の上流側端部に原稿Ｓを受け止める壁面４１，４２を有する。
【００４９】
原稿主搬送路Ｒ１の原稿Ｓの搬送方向の下流側端部の近傍と、原稿副搬送路Ｒ２の原稿Ｓの搬送方向の上流側端部とが連結される位置に、切換ゲートＧ３が配置される。切換ゲートＧ３は、原稿主搬送路Ｒ１と原稿排出トレイＴ１とを連通させる状態（以下、Ｒ１−Ｔ１連通状態という。）と、原稿排出トレイＴ１と原稿副搬送路Ｒ２とを連通させる状態（以下、Ｔ１−Ｒ２連通状態という。）と、に選択的に切り換えられる。
【００５０】
また、分岐部３１に、切換ゲートＧ１，Ｇ２が配置される。切換ゲートＧ１，Ｇ２は、原稿副搬送路Ｒ２とエスケープ搬送路Ｒ３とを連通させる状態（以下、Ｒ１−Ｒ３連通状態という。）と、原稿副搬送路Ｒ２と原稿主搬送路Ｒ１とを連通させる状態（以下、Ｒ２−Ｒ１連通状態という。）と、原稿載置トレイ１１と原稿読取位置Ａとを連通させる状態（以下、１１−Ａ連通状態という。）と、に選択的に切り換えられる。
【００５１】
ピックアップローラ１３および第１搬送ローラ１４は、原稿載置トレイ１１と原稿主搬送路Ｒ１との連結部近傍に配置され、原稿載置トレイ１１に載置された原稿Ｓを原稿主搬送路Ｒ１に給紙する。また、レジストローラ１５は、原稿主搬送路Ｒ１上であって原稿読取位置Ａより原稿主搬送路Ｒ１における原稿Ｓの搬送方向の上流側に配置され、原稿Ｓを一時的に保持し所定のタイミングで原稿読取位置Ａへ送り込む。第２搬送ローラ１６は、原稿主搬送路Ｒ１上であって原稿読取位置Ａより原稿主搬送路Ｒ１における原稿Ｓの搬送方向の下流側に配置され、原稿Ｓを所定の方向に搬送する。さらに、スイッチバックローラ１７は、原稿主搬送路Ｒ１における原稿Ｓの搬送方向の下流側端部であって切換ゲートＧ３より原稿Ｓの搬送方向の下流側に配置され、正逆両方向に回転駆動自在である。また、第３搬送ローラ１８は、原稿副搬送路Ｒ２上に配置され、原稿副搬送路Ｒ２上の原稿Ｓを所定の方向へ搬送する。排出ローラ１９は、エスケープ搬送路Ｒ３における原稿Ｓの搬送方向の下流側端部に配置され、エスケープ搬送路Ｒ３を搬送されてきた原稿Ｓを原稿排出トレイＴ２へ排出する。
【００５２】
また、レジストローラ１５、スイッチバックローラ１７及び排出ローラ１９のそれぞれの位置での原稿Ｓの搬送方向の上流側にそれぞれ、センサＳＡ，ＳＢ，ＳＣが配置され、それぞれのセンサＳＡ，ＳＢ，ＳＣは、それぞれのセンサＳＡ，ＳＢ，ＳＣが配置された位置を通過する原稿ＳによってＯＮ／ＯＦＦされる。
【００５３】
図３は、前記原稿読取装置の概略の構成を示すブロック図である。画像形成装置１は、所定の位置に制御部５０を備える。制御部５０は、ＣＰＵ５１、ＲＯＭ５２、ＲＡＭ５３、ドライバ６１〜６９及びＡ／Ｄ変換器７０を含む。ＣＰＵ５１は、ＲＯＭ５２に格納されたプログラム等に基づいて原稿読取装置１０全体の動作を統括的に制御する。ＲＯＭ５２は、原稿読取装置１０の動作に必要なプログラム等を格納している。ＲＡＭ５３は、読み取った原稿の画像情報等を一次的に記憶する揮発性のメモリである。
【００５４】
ドライバ６１は、モータＭ１を駆動させてピックアップローラ１３及び第１搬送ローラ１４を回転させる。ドライバ６２は、モータＭ２を駆動させてレジストローラ１５及び第２搬送ローラ１６を回転させる。ドライバ６３は、モータＭ３を駆動させて第３搬送ローラ１８を回転させる。ドライバ６４は、モータＭ４を駆動させてスイッチバックローラ１７を正方向又は逆方向に回転させる。ドライバ６５は、モータＭ５を駆動させて排出ローラ１９を回転させる。ドライバ６６〜６８は、ソレノイドＦ１〜Ｆ３をそれぞれＯＮ／ＯＦＦ切り換えして切換ゲートＧ１〜Ｇ３のそれぞれの状態を切り換える。ドライバ６９は、光源２１を点灯又は消灯させる。Ａ／Ｄ変換器７０は、ＣＣＤセンサ２６から取得され光電変換された画像情報をＡ／Ｄ変換してＣＰＵ５１へ出力する。ＣＰＵ５１は、入力された画像情報に所定の画像処理を施してＲＡＭ５３に格納する。
【００５５】
また、ＣＰＵ５１には、レジストローラ１５、スイッチバックローラ１７及び排出ローラ１９のそれぞれの位置での原稿Ｓの搬送方向の上流側に配置されたセンサＳＡ，ＳＢ，ＳＣが接続されている。センサＳＡ，ＳＢ，ＳＣは、それぞれのセンサＳＡ，ＳＢ，ＳＣの位置を原稿Ｓが通過したか否かを検出して、その検出結果をＣＰＵ５１へ出力する。ＣＰＵ５１は、センサＳＡ，ＳＢから入力された検出結果に基づいて切換ゲートＧ１〜Ｇ３の状態を切り換え、センサＳＣから入力された検出結果に基づいてピックアップローラ１３を上下方向に揺動させるとともに回転させて原稿載置トレイ１１上に載置されている原稿Ｓを原稿主搬送路Ｒ１に供給する。
【００５６】
図４及び図５は、前記原稿読取装置の同サイズ原稿片面読取モードでの動作状態を示す説明図である。なお、以下の説明において、説明の便宜上、特に言及しない限り、原稿載置トレイ１１に載置された状態での原稿Ｓの方向に基づいて、原稿Ｓの“表面”、“裏面”、“先端”、“後端”と呼ぶことにする。
【００５７】
図４（ａ）に示すように、同サイズ原稿片面読取モードにおいて制御部５０はまず、切換ゲートＧ１，Ｇ２を１１−Ａ連通状態にし、ピックアップローラ１３を降下させるとともに回転させて原稿載置トレイ１１上の原稿Ｓを原稿主搬送路Ｒ１に供給する。
【００５８】
図４（ｂ）及び図４（ｃ）に示すように、制御部５０は次に、原稿Ｓの先端をレジストローラ１５にレジストさせ、原稿読取部２０との原稿読取タイミングに合わせて原稿Ｓを原稿台１２上の原稿読取位置Ａへ搬送し、原稿Ｓの片面（表面）の画像情報を読み取る。
【００５９】
図５に示すように、制御部５０は、原稿Ｓの先端がセンサＳＡを通過しセンサＳＡがＯＮ状態になると、切換ゲートＧ３をＲ１−Ｔ１連通状態にし、スイッチバックローラ１７を回転駆動させて、片面（表面）の画像情報が読み取られた後の原稿Ｓを原稿排出トレイＴ１へ排出する。また、制御部５０は、原稿Ｓの搬送方向の後ろ側部分（後端）がセンサＳＡを通過しセンサＳＡがＯＮ状態からＯＦＦ状態になると、原稿載置トレイ１１から次の原稿の搬送を開始する。
【００６０】
同サイズ原稿片面読取モードでは、原稿Ｓは、原稿載置トレイ１１に載置された状態での原稿Ｓの先端を前側にして後端を後ろ側にして原稿排出トレイＴ１に排出され、原稿Ｓが原稿排出トレイＴ１の傾斜によって原稿Ｓの排出方向の上流側へ寄せられるので、原稿排出トレイＴ１の壁面４１によって原稿Ｓの後端が揃えられる。同サイズ原稿片面読取モードでは原稿Ｓは全て同サイズであるので、後端が揃えられることで先端も同様に揃えられる。
【００６１】
また、原稿Ｓは、原稿載置トレイ１１に載置された状態での原稿Ｓの表面を原稿排出トレイＴ１では下側に向け、裏面を上側に向けて排出されるので、原稿載置トレイ１１に載置されていたときと同じページ順で原稿排出トレイＴ１に積層される。
【００６２】
図６〜図９は、前記原稿読取装置の同サイズ原稿両面読取モードでの動作状態を示す説明図である。図６に示すように、同サイズ原稿両面読取モードにおいて制御部５０は、切換ゲートＧ１，Ｇ２を１１−Ａ連通状態にし、ピックアップローラ１３を降下及び回転させて原稿載置トレイ１１上の原稿Ｓを原稿主搬送路Ｒ１に供給し、原稿Ｓの先端をレジストローラ１５にレジストさせ、原稿読取部２０との原稿読取タイミングに合わせて原稿Ｓを原稿台１２上の原稿読取位置Ａへ搬送し、原稿Ｓの表面（第１面）の画像情報を読み取る。
【００６３】
制御部５０は、原稿Ｓの先端がセンサＳＡを通過しセンサＳＡがＯＮ状態になると、図７（ａ）に示すように、切換ゲートＧ３をＲ１−Ｔ１連通状態にし、スイッチバックローラ１７を回転駆動させて、表面の画像情報が読み取られた後の原稿Ｓの大半を原稿排出トレイＴ１へ排出し、原稿Ｓの搬送方向の後ろ側部分（後端）をスイッチバックローラ１７で保持する。このとき、原稿Ｓの表面は、下側を向いた状態となっている。
【００６４】
制御部５０は、原稿Ｓの後ろ側部分（後端）がセンサＳＢを通過しセンサＳＢがＯＮ状態からＯＦＦ状態になると、図７（ｂ）に示すように、切換ゲートＧ３をＴ１−Ｒ２連通状態に切り換えるとともに、切換ゲートＧ１，Ｇ２をＲ２−Ｒ１連通状態に切り換え、スイッチバックローラ１７を逆回転させて、原稿Ｓを原稿副搬送路Ｒ２へスイッチバック搬送する。制御部５０は、図７（ｃ）に示すように、原稿Ｓをさらに原稿主搬送路Ｒ１へ搬送し、原稿Ｓの搬送方向の前側部分（後端）がセンサＳＡを通過しセンサＳＡがＯＮ状態になると、切換ゲートＧ３をＲ１−Ｔ１連通状態に切り換える。そして、制御部５０は、図８（ａ）に示すように、原稿Ｓに原稿読取位置Ａを経由させることで、原稿Ｓの裏面（第２面）の画像情報を読み取り、原稿Ｓを再びスイッチバックローラ１７に保持させる。このとき、原稿Ｓは、図８（ｂ）に示すように、搬送方向の後ろ側部分すなわち先端をスイッチバックローラ１７に保持され、表面を上側に向けた状態となっている。
【００６５】
制御部５０は、このまま原稿Ｓを原稿排出トレイＴ１へ排出したのでは、原稿Ｓの原稿排出トレイＴ１上でのページ順が原稿載置トレイ１１上でのページ順と異なってしまうので、原稿Ｓのページ順を整えるために次のような処理を行う。図８（ｃ）に示すように、制御部５０は、原稿Ｓの搬送方向の後ろ側部分（先端）がセンサＳＢを通過しセンサＳＢがＯＮ状態からＯＦＦ状態になると、切換ゲートＧ３をＴ１−Ｒ２連通状態に切り換え、切換ゲートＧ１，Ｇ２をＲ２−Ｒ１連通状態に切り換えて、再び原稿Ｓをスイッチバックローラ１７によって原稿副搬送路Ｒ２へスイッチバック搬送する。そして、図９に示すように、制御部５０は、さらに原稿Ｓを原稿主搬送路Ｒ１へ搬送する。このとき、制御部５０は、すでに原稿Ｓの表面及び裏面の両面の画像情報を読み取り済みなので、原稿読取位置Ａにおいて原稿Ｓの画像情報を読み取ることなく原稿Ｓに原稿主搬送路Ｒ１を通過させる。制御部５０は、原稿Ｓの搬送方向の前側部分（先端）がセンサＳＡを通過しセンサＳＡがＯＮ状態になると、切換ゲートＧ３をＲ１−Ｔ１連通状態に切り換えて、原稿Ｓを原稿排出トレイＴ１へ排出する。また、制御部５０は、原稿Ｓの搬送方向の後ろ側部分（後端）がセンサＳＡを通過しセンサＳＡがＯＮ状態からＯＦＦ状態になると、切換ゲートＧ１，Ｇ２を１１−Ａ連通状態に切り換えて、原稿載置トレイ１１から次の原稿の搬送を開始する。
【００６６】
同サイズ原稿両面読取モードでは、原稿Ｓは、原稿載置トレイ１１に載置された状態での原稿Ｓの先端を前側にして後端を後ろ側にして原稿排出トレイＴ１に排出され、原稿Ｓが原稿排出トレイＴ１の傾斜によって原稿Ｓの排出方向の上流側へ寄せられるので、原稿排出トレイＴ１の壁面４１によって原稿Ｓの後端が揃えられる。同サイズ原稿両面読取モードでは原稿Ｓは全て同サイズであるので、後端が揃えられることで先端も同様に揃えられる。
【００６７】
また、原稿Ｓは、原稿載置トレイ１１に載置された状態での原稿Ｓの表面を原稿排出トレイＴ１では下側に向け、裏面を上側に向けて排出されるので、原稿載置トレイ１１に載置されていたときと同じページ順で原稿排出トレイＴ１に積層される。
【００６８】
図１０〜図１２は、前記原稿読取装置の異サイズ原稿片面読取モードでの動作状態を示す説明図である。図１０及び図１１（ａ）に示すＳＴＥＰ１〜ＳＴＥＰ４については、図４及び図５（ａ）に示す同サイズ片面読取モードの動作状態についてのＳＴＥＰ１〜ＳＴＥＰ４と同様であるため、ここでは詳しい説明を省略する。制御部５０は、図１０及び図１１（ａ）に示すようにして原稿Ｓの片面（表面）の画像情報を読み取った後、図１１（ｂ）に示すように、原稿Ｓの搬送方向の後ろ側部分（後端）をスイッチバックローラ１７に保持させる。このとき、原稿Ｓは、表面を下側に向けた状態となっている。
【００６９】
制御部５０は、原稿Ｓの後ろ側部分（後端）がセンサＳＢを通過しセンサＳＢがＯＮ状態からＯＦＦ状態になると、図１１（ｃ）に示すように、切換ゲートＧ３をＴ１−Ｒ２連通状態に切り換えるとともに、切換ゲートＧ１，Ｇ２をＲ２，Ｒ３連通状態に切り換えて、原稿Ｓをスイッチバックローラ１７によって原稿副搬送路Ｒ２へスイッチバック搬送し、図１２に示すように、エスケープ搬送路Ｒ３を経由して排出ローラ１９の回転力によって原稿Ｓを原稿排出トレイＴ２へ排出する。また、制御部５０は、原稿Ｓの搬送方向の後ろ側部分（先端）がセンサＳＣを通過しセンサＳＣがＯＮ状態からＯＦＦ状態になると、切換ゲートＧ１，Ｇ２を１１−Ａ連通状態に切り換えて、原稿載置トレイ１１から次の原稿の搬送を開始する。
【００７０】
異サイズ原稿片面読取モードでは、原稿Ｓは、原稿載置トレイ１１に載置された状態での原稿Ｓの後端を前側にして先端を後ろ側にして原稿排出トレイＴ２に排出され、原稿Ｓが原稿排出トレイＴ２の傾斜によって原稿Ｓの排出方向の上流側へ寄せられるので、原稿排出トレイＴ２の壁面４２によって原稿Ｓの先端が揃えられる。異サイズ原稿片面読取モードでは、原稿Ｓは異なるサイズの原稿を含むが、原稿Ｓは、原稿載置トレイ１１に載置されていたときと同様に先端を揃えられる。したがって、例えば原稿Ｓの先端にパンチ孔が開けられている場合は、ユーザがあらためて原稿Ｓの先端を揃え直すことなく原稿Ｓの先端が揃えられ、パンチ孔が揃えられる。このように、画像情報の読み取り後にも読み取り前と同様に原稿Ｓの先端を揃える必要性が高い場合でも、ユーザがあらためて原稿Ｓの先端を揃え直す必要がなく、画像情報の読み取り後における原稿の取り扱いが容易であり、ユーザの作業性が向上される。
【００７１】
また、原稿Ｓは、原稿載置トレイ１１に載置された状態での原稿Ｓの表面を原稿排出トレイＴ２では下側に向け、裏面を上側に向けて排出されるので、原稿載置トレイ１１に載置されていたときと同じページ順で原稿排出トレイＴ１に積層される。
【００７２】
図１３〜図１７は、前記原稿読取装置の異サイズ原稿両面読取モードでの動作状態を示す説明図である。図１３〜図１６（ｂ）に示すＳＴＥＰ１〜ＳＴＥＰ１０については、図６〜図９（ａ）に示す同サイズ原稿両面読取モードの動作状態についてのＳＴＥＰ１〜ＳＴＥＰ１０と同様であるため、ここでは詳しい説明を省略する。制御部５０は、図１３〜図１６（ｂ）に示すように、制御部５０は、原稿Ｓに原稿読取位置Ａを通過させることで表面（第１面）の画像情報を読み取り、スイッチバックローラ１７でスイッチバック搬送して再び原稿読取位置Ａを通過させることで裏面（第２面）の画像情報を読み取った後、さらに再びスイッチバックローラ１７でスイッチバック搬送されて原稿副搬送路Ｒ２及び原稿主搬送路Ｒ１を画像情報を読み取ることなくいわゆる空搬送する。
【００７３】
制御部５０は、原稿Ｓの搬送方向の前側部分（先端）がセンサＳＡを通過しセンサＳＡがＯＮ状態になると、図１６（ｃ）に示すように、切換ゲートＧ３をＲ１−Ｔ１連通状態に切り換えて、原稿Ｓの後ろ側部分（後端）をスイッチバックローラ１７に保持させる。このとき、原稿Ｓは、原稿載置トレイ１１に載置された状態における表面を下側に向けた状態となっている。
【００７４】
制御部５０は、原稿Ｓの搬送方向の後ろ側部分（後端）がセンサＳＢを通過しセンサＳＢがＯＮ状態からＯＦＦ状態になると、図１７（ａ）に示すように、切換ゲートＧ３をＴ１−Ｒ２連通状態に切り換えるとともに切換ゲートＧ１，Ｇ２をＲ２−Ｒ３連通状態に切り換え、原稿Ｓをスイッチバックローラ１７によってスイッチバック搬送し、図１７（ｂ）及び図１７（ｃ）に示すように原稿Ｓを原稿副搬送路Ｒ２及びエスケープ搬送路Ｒ３を経由して原稿排出トレイＴ２へ排出する。
【００７５】
制御部５０は、図１７（ｂ）に示すように、原稿Ｓの搬送方向の後ろ側（先端）がセンサＳＣを通過しセンサＳＣがＯＮ状態からＯＦＦ状態になると、原稿載置トレイ１１から次の原稿の搬送を開始する。
【００７６】
異サイズ原稿両面読取モードでは、原稿Ｓは、原稿載置トレイ１１に載置された状態での原稿Ｓの後端を前側にして先端を後ろ側にして原稿排出トレイＴ２に排出され、原稿Ｓが原稿排出トレイＴ２の傾斜によって原稿Ｓの排出方向の上流側へ寄せられるので、原稿排出トレイＴ２の壁面４２によって原稿Ｓの先端が揃えられる。異サイズ原稿両面読取モードでは、原稿Ｓは異なるサイズの原稿を含むが、原稿Ｓは、原稿載置トレイ１１に載置されていたときと同様に先端を揃えられる。したがって、例えば原稿Ｓの先端にパンチ孔が開けられている場合は、ユーザがあらためて原稿Ｓの先端を揃え直すことなく原稿Ｓの先端が揃えられ、パンチ孔が揃えられる。このように、画像情報の読み取り後にも読み取り前と同様に原稿Ｓの先端を揃える必要性が高い場合でも、ユーザがあらためて原稿Ｓの先端を揃え直す必要がなく、画像情報の読み取り後における原稿の取り扱いが容易であり、ユーザの作業性が向上される。
【００７７】
また、原稿Ｓは、原稿載置トレイ１１に載置された状態での原稿Ｓの表面を原稿排出トレイＴ２では下側に向け、裏面を上側に向けて排出されるので、原稿載置トレイ１１に載置されていたときと同じページ順で原稿排出トレイＴ１に積層される。
【００７８】
原稿読取装置１０によれば、異なるサイズの原稿を含む原稿Ｓの画像情報を読み取る場合、原稿載置トレイ１１に載置された状態における先端を揃えるとともにページ順を整えて原稿を原稿排出トレイＴ２へ排出することができる。また、同サイズの原稿の画像情報を読み取る場合、原稿載置トレイ１１に載置された状態における後端及び先端を揃えるとともにページ順を整えて、異なるサイズの原稿を含む原稿Ｓの画像情報を読み取る場合よりもスイッチバック搬送して原稿副搬送路Ｒ２及びエスケープ搬送路Ｒ３を搬送する分速やかに、原稿を原稿排出トレイＴ１へ排出することができる。
【図面の簡単な説明】
【００７９】
【図１】この発明の実施形態に係る原稿読取装置の概略の構成を示す断面図である。
【図２】前記原稿読取装置の構成を模式的に示す説明図である。
【図３】前記原稿読取装置の概略の構成を示すブロック図である。
【図４】前記原稿読取装置の同サイズ原稿片面読取モードでの動作状態を示す説明図である。
【図５】前記原稿読取装置の同サイズ原稿片面読取モードでの動作状態を示す説明図である。
【図６】前記原稿読取装置の同サイズ原稿両面読取モードでの動作状態を示す説明図である。
【図７】前記原稿読取装置の同サイズ原稿両面読取モードでの動作状態を示す説明図である。
【図８】前記原稿読取装置の同サイズ原稿両面読取モードでの動作状態を示す説明図である。
【図９】前記原稿読取装置の同サイズ原稿両面読取モードでの動作状態を示す説明図である。
【図１０】前記原稿読取装置の異サイズ原稿片面読取モードでの動作状態を示す説明図である。
【図１１】前記原稿読取装置の異サイズ原稿片面読取モードでの動作状態を示す説明図である。
【図１２】前記原稿読取装置の異サイズ原稿片面読取モードでの動作状態を示す説明図である。
【図１３】前記原稿読取装置の異サイズ原稿両面読取モードでの動作状態を示す説明図である。
【図１４】前記原稿読取装置の異サイズ原稿両面読取モードでの動作状態を示す説明図である。
【図１５】前記原稿読取装置の異サイズ原稿両面読取モードでの動作状態を示す説明図である。
【図１６】前記原稿読取装置の異サイズ原稿両面読取モードでの動作状態を示す説明図である。
【図１７】前記原稿読取装置の異サイズ原稿両面読取モードでの動作状態を示す説明図である。
【図１８】従来の原稿読取装置の概略の構成を示す断面図である。
【符号の説明】
【００８０】
１０  原稿読取装置
１１  原稿載置トレイ（原稿載置部）
１７  スイッチバックローラ
２０  原稿読取部
３１  分岐部
５０  制御部
Ａ  原稿読取位置
Ｒ１  原稿主搬送路（第１の原稿搬送路）
Ｒ２  原稿副搬送路（第２の原稿搬送路）
Ｒ３  エスケープ搬送路（第３の原稿搬送路）
Ｔ１  原稿排出トレイ（第１の原稿排出部）
Ｔ２  原稿排出トレイ（第２の原稿排出部）
Ｇ１，Ｇ２  切換ゲート（第２の切換ゲート）
Ｇ３  切換ゲート（第１の切換ゲート）
【図１】
2006050059.tif 000003
【図２】
2006050059.tif 000004
【図３】
2006050059.tif 000005
【図４】
2006050059.tif 000006
【図５】
2006050059.tif 000007
【図６】
2006050059.tif 000008
【図７】
2006050059.tif 000009
【図８】
2006050059.tif 000010
【図９】
2006050059.tif 000011
【図１０】
2006050059.tif 000012
【図１１】
2006050059.tif 000013
【図１２】
2006050059.tif 000014
【図１３】
2006050059.tif 000015
【図１４】
2006050059.tif 000016
【図１５】
2006050059.tif 000017
【図１６】
2006050059.tif 000018
【図１７】
2006050059.tif 000019
【図１８】
2006050059.tif 000020